(57)【要約】      （修正有）【課題】機械式のスイッチのような操作性と操作感を提供することができ、ブラインドタッチで入力でき、また、タッチ操作に用いる構造についてユーザの嗜好に合った様々な形状やレイアウトとしたタッチパネルを提供する。【解決手段】電子機器１において、押下部の背面に接触突起を備え、押下部の押し操作により接触突起が押し下げられる構造を有する押しボタン６を設け、この押しボタンの押下部をタッチパネル２周囲に取り付け可能とし、押しボタンの押下部がタッチパネル周囲に取り付けられ、押下部が押し操作された時に、押下部の背面に備えられた接触突起がタッチパネルに接触することにより予め設定された機能を実行する。【選択図】図１
2012018448.tif 000002
【特許請求の範囲】
【請求項１】
画像を表示するとともにタッチ操作を検出するタッチパネルを備え、
タッチ操作された前記タッチパネル上の位置座標に応じて予め設定された機能を実行する電子機器において、
押下部の背面に接触突起を備え、前記押下部の押し操作により接触突起が押し下げられる構造を有する押しボタンを設け、
この押しボタンの押下部を前記タッチパネル周囲に取り付け可能とし、
前記押しボタンの押下部がタッチパネル周囲に取り付けられ、前記押下部が押し操作された時に、前記押下部の背面に備えられた接触突起が前記タッチパネルに接触することにより予め設定された機能を実行することを特徴とする電子機器。
【請求項２】
画像を表示するとともにタッチ操作を検出するタッチパネルを備え、
タッチ操作された前記タッチパネル上の位置座標に応じて予め設定された機能を実行する電子機器において、
回転部の背面に複数の操作突起を備え、前記回転部を回転可能に支持する台座部の側面に先端が三日月状の一対の接触突起に形成された支柱を備え、前記回転部の回転操作により前記回転部の背面に備えられた操作突起が前記台座部の側面に備えられた支柱を押して傾ける構造を有するダイヤルノブを設け、
このダイヤルノブの台座部を前記タッチパネル周囲に取り付け可能とし、
前記ダイヤルノブの台座部がタッチパネル周囲に取り付けられ、前記回転部が回転操作された時に、前記支柱先端の三日月状の一対の接触突起のうち回転方向側の接触突起が前記タッチパネルに接触することにより予め設定された機能を実行することを特徴とする電子機器。
【請求項３】
画像を表示するとともにタッチ操作を検出するタッチパネルを備え、
タッチ操作された前記タッチパネル上の位置座標に応じて予め設定された機能を実行する電子機器において、
スライド可能な操作ノブの背面に接触突起を備え、前記操作ノブの押し操作およびスライド操作により前記操作ノブの背面に備えられた接触突起が押し下げられてスライドする構造を有するスライドボタンを設け、
このスライドボタンを前記タッチパネル周囲にスライド可能に取り付け可能とし、
前記スライドボタンがタッチパネル周囲に取り付けられ、前記操作ノブが押し操作しつつスライド操作された時に、スライド操作につれて前記操作ノブの背面に備えられた接触突起が前記タッチパネルに接触した状態でスライドすることにより予め設定された機能を実行することを特徴とする電子機器。
【請求項４】
前記タッチパネル周囲の外枠に溝又は穴を設け、
この溝又は穴に前記押しボタン、ダイヤルノブ又はスライドボタンの取り付け軸又は取り付け板を挿入することで、前記押しボタン、ダイヤルノブ又はスライドボタンが前記タッチパネル周囲に取り付けられることを特徴とする請求項１〜請求項３のいずれか一項に記載の電子機器。
【請求項５】
前記押しボタン、ダイヤルノブ又はスライドボタンが操作された時に実行される機能と前記押しボタン、ダイヤルノブ又はスライドボタンが操作された時に前記押しボタン、ダイヤルノブ又はスライドボタンに設けられた接触突部が接触する前記タッチパネル上の位置座標とを設定する登録機能を有することを特徴とする請求項１〜請求項３のいずれか一項に記載の電子機器。
【発明の詳細な説明】
【技術分野】
【０００１】
この発明は電子機器に係り、特に、手探り操作が必要となる自動車等の車載用のタッチパネルを備えた電子機器であって、タッチパネルのタッチ操作について、タッチパネルの柔軟性を生かしつつ、操作者に機械式のスイッチのような操作性、操作感を提供することができる電子機器に関する。
【背景技術】
【０００２】
車載のカーナビゲーションシステム等においては、複雑なメニュー構造の実装や、それに対するボタン類の省スペース化、また見た目の分かりやすさから、タッチパネル方式の操作パネルを使った電子機器が一般に利用されている。これは、同じ画面の領域であっても、表示内容を変更して、ボタンそのものの機能を自在に設定できるという、タッチパネルの柔軟性によるものである。電子機器は、タッチパネルのタッチ操作により入力操作を受け付け、タッチ操作されたタッチパネル上の位置座標に応じて予め設定された機能を実行する。
しかしながら、これらのタッチパネルのタッチ操作は、画面を目視しての操作が前提となるため、車両に搭載されたカーナビゲーションシステム等の電子機器に利用した場合、手探りでの操作（ブラインドタッチ）が困難であり、また、クリック感やストローク感などの操作感のフィードバックがなく、操作者が確実に操作できたかどうかわかりにくいという問題がある。例えば、運転中においても、オーディオシステムのボリューム等の操作を行うことがあるが、タッチパネルの場合、ボリューム操作位置を一度目視しなければならず、運転中に使いにくいという問題がある。
【０００３】
そこで、操作者に操作感を与える構造を備えたタッチパネルが提案されている。このようなタッチ操作に用いる構造の類似技術としては、ディスプレイおよびタッチパネルからなる表示パネルの上面に透明な押しボタンシートを載置し、押しボタンシートにディスプレイのスイッチ表示位置に対応して弾性変形可能な突部を形成した構造のものがある。（特許文献１）
また、この技術の利用により、実スイッチ類を増やすと表示部の面積が小さくなる課題に対し、タッチパネルを使って、表示面積を広くすると共に、操作部を充実させる発明として、押しボタン構造のスイッチを配置した操作部をタッチパネルに対して開閉可能とした構造のものがある。（特許文献２）
【先行技術文献】
【特許文献】
【０００４】
【特許文献１】特開平９−１７２７８号公報
【特許文献２】特開２００４−３８０７９号公報
【発明の概要】
【発明が解決しようとする課題】
【０００５】
しかし、これら特許文献１及び特許文献２に開示される技術は、いずれも、タッチパネルとタッチ操作に用いるボタンなどの構造とを組み合わせるヒューマンインタフェース技術であるが、操作者に機械式のスイッチのような操作性と操作感を提供することができず、スイッチレイアウトの自由度や操作方法の選択肢を提供するまでに至っていない。
【０００６】
この発明は、タッチパネル方式の電子機器において、タッチ操作に用いる構造として機械的な機構を採用することで、機械式のスイッチのような操作性と操作感を提供することができ、ブラインドタッチで入力することができ、また、タッチ操作に用いる構造についてユーザの嗜好に合った様々な形状やレイアウトとしたタッチパネルを提供することを目的とする。
【課題を解決するための手段】
【０００７】
この発明の電子機器は、画像を表示するとともにタッチ操作を検出するタッチパネルを備え、タッチ操作された前記タッチパネル上の位置座標に応じて予め設定された機能を実行する電子機器において、押下部の背面に接触突起を備え、前記押下部の押し操作により接触突起が押し下げられる構造を有する押しボタンを設け、この押しボタンの押下部を前記タッチパネル周囲に取り付け可能とし、前記押しボタンの押下部がタッチパネル周囲に取り付けられ、前記押下部が押し操作された時に、前記押下部の背面に備えられた接触突起が前記タッチパネルに接触することにより予め設定された機能を実行することを特徴とする。
【発明の効果】
【０００８】
この発明の電子機器は、タッチ操作に用いる構造として機械的な機構の押しボタンを設けており、タッチパネル方式の電子機器であっても、機械式のスイッチのような操作性と操作感を提供することができ、ブラインドタッチで入力操作することができる。
【図面の簡単な説明】
【０００９】
【図１】押しボタンを取り付けたタッチパネルの正面図である。（実施例１）
【図２】押しボタンが放し操作された時のタッチパネルの断面図である。（実施例１）
【図３】押しボタンが押し操作された時のタッチパネルの断面図である。（実施例１）
【図４】押しボタンの操作と機能を登録する手順を示す図である。（実施例１）
【図５】押しボタンの操作と機能の登録画面を示すタッチパネルの正面図である。（実施例１）
【図６】ダイヤルノブを取り付けたタッチパネルの正面図である。（実施例２）
【図７】ダイヤルノブが回転操作されていない時のタッチパネルの断面図である。（実施例２）
【図８】ダイヤルノブが回転操作された時のタッチパネルの断面図である。（実施例２）
【図９】（Ａ）は回転部が回転操作されていない時の一対の接触突起とタッチパネルとが離れている状態を示す図、（Ｂ）は回転部が一方向に回転操作された時の一対の接触突起のうち回転方向側の接触突起がタッチパネルに接触している状態を示す図、（Ｃ）は回転部が他方向に回転操作された時の一対の接触突起のうち回転方向側の接触突起がタッチパネルに接触している状態を示す図である。（実施例２）
【図１０】スライドボタンを取り付けたタッチパネルの正面図である。（実施例３）
【図１１】スライドボタンが放し操作された時のタッチパネルの断面図である。（実施例３）
【図１２】スライドボタンが押し操作かつスライド操作された時のタッチパネルの断面図である。（実施例３）
【図１３】押しボタンを取り付けたタッチパネルの正面図である。（実施例４）
【図１４】押しボタンが放し操作された時のタッチパネルの断面図である。（実施例４）
【図１５】押しボタンが押し操作された時のタッチパネルの断面図である。（実施例４）
【発明を実施するための形態】
【００１０】
以下図面に基づいて、この発明の実施例を説明する。
【実施例１】
【００１１】
図１〜図５は、この発明の実施例１を示すものである。図１において、１は電子機器、２はタッチパネルである。電子機器１のタッチパネル２は、図２・図３に示すように、画像を表示する液晶表示表示板などのディスプレイパネル３と、ディスプレイパネル３の上面に設置される接触を検出する透明なタッチスクリーン４とから構成され、周囲を外枠５で囲まれている。タッチパネル２は、ディスプレイパネル３で画像を表示するとともにタッチスクリーン４でタッチ操作を検出する。
電子機器１は、タッチパネル２を構成するディスプレイパネル３の表示位置に対応するタッチスクリーン４の位置座標に応じて、予め実行する機能を設定して登録している。電子機器１は、タッチ操作されたタッチパネル２上の位置座標に応じて予め設定された機能を実行する。
【００１２】
前記電子機器１は、タッチパネル２のタッチ操作に用いる構造として、機械的な機構の押しボタン６を設けている。押しボタン６は、図２・図３に示すように、タッチパネル２に対して押し操作、放し操作される押下部７を備えている。
押下部７は、背面（タッチパネル２側）にタッチスクリーン４に接触される接触突起８を備えている。また、押下部７は、背面にタッチパネル２周囲の外枠５に取り付けるための取り付け軸９を備え、取り付け軸９に戻しバネ１０を外嵌めしている。押しボタン６は、押下部７の押し操作により接触突起８が押し下げられる構造を有している。
前記タッチパネル２の外枠５には、図１に示すように、右側の縦枠部分の表面（タッチスクリーン４側）に押しボタン６を取り付けるための取り付け溝１１を形成している。取り付け溝１１は、取り付け軸９が挿入される複数の平行四辺形の挿入部１２を連結することにより、鋸歯型溝形状に形成している。押しボタン６は、タッチパネル２周囲の外枠５に設けた取り付け溝１１の挿入部１２に取り付け軸９を挿入することで、取り付け可能としている。
【００１３】
電子機器１は、押しボタン６の操作を登録する機能を有している。電子機器１による押しボタン６の登録は、図５に示すように、タッチパネル２に登録画面１３を表示させて行う。登録の処理においては、図４に示すように、押しボタン６の登録を開始すると（１０１）、登録したい押しボタン６の取り付け軸９をタッチパネル２の外枠５の取り付け溝１１の挿入部１２に挿入して取り付けることで、登録したい押しボタン６を任意の位置に配置する（１０２）。外枠５の任意の位置に配置した押しボタン６の押下部７には、登録した機能の内容（「ＭＥＮＵ」、「ＵＰ」、「ＤＯＷＮ」等）を示すラベル等を貼ることで、機能を明確に表示することができる。
次に、タッチパネル２上の登録画面１３において、登録する押しボタン６の機能を選択する（１０３）。電子機器１は、登録画面１３において選択された押しボタン６の機能を登録する。その後、登録したい押しボタン６を押し操作することで（１０４）、押しボタン６の登録を完了する（１０５）。タッチパネル２は、押しボタン６の押し操作で接触突起８が接触したタッチパネル２上の位置座標を検出し、電子機器１に位置座標を入力する。電子機器１は、入力したタッチパネル２上の位置座標を、前記登録画面１３の選択により登録された押しボタン６の機能と関連付けて登録する。
例えば、登録画面１３の「オーディオ」タブにおいて「音量大」を選択した後、「ＵＰ」の押しボタン６を押せば、この押しボタン６に「音量大」の機能が登録される。設定の手順は、押しボタン６を先に押し操作した後、押しボタン６の機能を選択して登録することもできる。
これにより、電子機器１は、登録した押しボタン６が押し操作され、接触突起８が登録されたタッチパネル２上の位置座標に接触されると、この位置座標に応じて予め設定された機能を実行する。
【００１４】
この電子機器１は、図２に示すように、押しボタン６の取り付け軸９をタッチパネル２周囲の外枠５の取り付け溝１１の挿入部１２に挿入することで、押しボタン６の押下部７と外枠５との間に戻しバネ１０を挟んだ状態で押しボタン６を取り付ける。
外枠５に取り付けられた押しボタン６は、図３に示すように、押下部７を押し操作すると、取り付け軸９が挿入部１２に入り込んで戻しバネ１０が撓み、接触突起８がタッチパネル２のタッチスクリーン４に接触する。電子機器１は、押しボタン６の接触突起８がタッチパネル２に接触することによって、タッチ操作されたタッチパネル２上の位置座標に応じて予め設定された機能を実行する。
押しボタン６は、押下部７を放し操作すると、図２に示すように、撓んだ戻しバネ１０の反発力によって取り付け軸９が挿入部１２から出て押下部７が押し戻され、接触突起８がタッチパネル２のタッチスクリーン４から離間する。
【００１５】
このように、電子機器１は、押下部７の背面に接触突起８を備える押しボタン６をタッチパネル２周囲の枠体５に取り付け可能とし、押しボタン６がタッチパネル２周囲に取り付けられ、押下部５が押し操作された時に、押下部７の背面に備えられた接触突起８がタッチパネル２に接触することにより予め設定された機能を実行する。
この電子機器１は、タッチ操作に用いる構造として機械的な機構の押しボタン６を設けており、タッチパネル方式の電子機器１であっても、機械式のスイッチのような操作性と操作感を提供することができ、ブラインドタッチで入力操作することができる。また、この電子機器１は、タッチ操作に用いる構造についてユーザの嗜好に合った様々な形状やレイアウトとしたタッチパネル２を提供することができる。
また、電子機器１は、タッチパネル２周囲の外枠５に取り付け溝１１を設け、この取り付け溝１１に押しボタン６の取り付け軸９を挿入することで、押しボタン６がタッチパネル２周囲に取り付けられる。これにより、この電子機器１は、タッチ操作に用いる構造としての押しボタン６を確実に取り付けることができる。また、この電子機器１は、押しボタン６を自由に着脱可能とすることができる。
さらに、この電子機器１は、押しボタン６が押し操作された時に実行される機能と、押しボタン６が押し操作された時に押しボタン６に備えられた接触突部８が接触するタッチパネル２上の位置座標とを設定する登録機能を有している。これにより、この電子機器１は、タッチ操作に用いる構造としての押しボタン６について、ユーザの嗜好に合うようにその形状、操作と機能とを設定することができる。
【実施例２】
【００１６】
図６〜図９は、この発明の実施例２を示すものである。実施例２の電子機器１のタッチパネル２は、前述実施例１と同様の構造を備えているので、同一符号を使用して説明する。図６〜図８に示すように、電子機器１のタッチパネル２は、画像を表示する液晶表示表示板などのディスプレイパネル３と、ディスプレイパネル３の上面に設置される接触を検出する透明なタッチスクリーン４とから構成され、周囲を外枠５で囲まれている。タッチパネル２は、ディスプレイパネル３で画像を表示するとともにタッチスクリーン４でタッチ操作を検出する。
電子機器１は、タッチパネル２を構成するディスプレイパネル３の表示位置に対応するタッチスクリーン４の位置座標に応じて、予め実行する機能を設定して登録している。電子機器１は、タッチ操作されたタッチパネル２上の位置座標に応じて予め設定された機能を実行する。
【００１７】
前記電子機器１は、タッチパネル２のタッチ操作に用いる構造として、機械的な機構のダイヤルノブ１４を設けている。ダイヤルノブ１４は、図７〜図９に示すように、タッチパネル２に対して回転操作される回転部１５を備え、回転部１５を回転可能に支持する台座部１６を備えている。
前記回転部１５は、背面（タッチパネル２側）に突出する短円柱形状の支持部１７を備え、支持部１７を台座部１６の表面（回転部１５側）に当接させて回転軸１８により回転可能に支持している。回転部１５は、背面の支持部１７外周に複数の操作突起１９を備えている。操作突起１９は、平面視で二等辺三角形状に形成され、支持部１７外周に等間隔に配置している。
前記台座部１６は、側面に支柱２０を支持軸２１により揺動可能に支持している。支柱２０は、先端（タッチパネル２側）が三日月状の一対の接触突起２２・２３に形成され、後端（回転部１５側）が棒状の当接軸２４に形成されている。当接軸２４は、前記回転部１５の操作突起１９により押される。また、台座部１６は、背面にタッチパネル２周囲の外枠５に取り付けるための取り付け軸２５を備えている。ダイヤルノブ１４は、回転部１５の回転操作により回転部１５の背面に備えられた操作突起１９が台座部１６の側面に備えられた支柱２０の当接軸２４を押して傾けることで、接触突起２２・２３のいずれか一方が押し下げられる構造を有している。
前記タッチパネル２の外枠５には、図６に示すように、右側の縦枠部分の表面（タッチスクリーン４側）にダイヤルノブ１４を取り付けるための取り付け溝２６を形成している。取り付け溝２６は、取り付け軸２５が挿入される複数の平行四辺形の挿入部２７を連結させることにより、鋸歯型溝形状に形成している。ダイヤルノブ１４は、タッチパネル２周囲の外枠５に設けた取り付け溝２６の挿入部２７に取り付け軸２５を挿入することで、取り付け可能としている。
【００１８】
電子機器１は、ダイヤルノブ１４の操作を登録する機能を有している。電子機器１によるダイヤルノブ１４の登録は、前述実施例１の図４・図５において説明するように、タッチパネル２に登録画面１３を表示させて行うので、説明は省略する。なお、実施例２においては、図４・図５においてタッチ操作に用いる構造の押しボタン６の説明を、ダイヤルノブ１４に置き換える。
これにより、電子機器１は、登録したダイヤルノブ１４が回転操作され、接触突起２２・２３が登録されたタッチパネル２上の位置座標に接触されると、この位置座標に応じて予め設定された機能を実行する。
【００１９】
この電子機器１は、図７に示すように、ダイヤルノブ１４の台座部１６に設けた取り付け軸２５をタッチパネル２周囲の外枠５の取り付け溝２６の挿入部２７に挿入することで、ダイヤルノブ１４を取り付ける。外枠５に取り付けられたダイヤルノブ１４は、回転部１５を回転操作していない時に、一対の接触突起２２・２３がタッチパネル２のタッチスクリーン４から離間している。（図９（Ａ）参照）
ダイヤルノブ１４は、図８に示すように、回転部１５を回転操作すると、回転部１５背面の支持部１７外周に備えられた操作突起１９が台座部１６の側面に備えられた支柱２０の当接軸２４を押して傾け、接触突起２２・２３のいずれか一方が押し下げられてタッチパネル２のタッチスクリーン４に接触する。（図９（Ｂ）および図９（Ｃ）参照）。電子機器１は、ダイヤルノブ１４の接触突起２２あるいは接触突起２３がタッチパネル２に接触することによって、タッチ操作されたタッチパネル２上の位置座標に応じて予め設定された機能を実行する。
ダイヤルノブ１４は、回転部１５の回転操作をやめると、一対の接触突起２２・２３がタッチパネル２のタッチスクリーン４から離間する。（図９（Ａ）参照）
【００２０】
このように、電子機器１は、回転部１５の背面に操作突起１９を備え、台座部１６に操作突起１９により揺動される一対の接触突起２２・２３を備えるダイヤルノブ１４をタッチパネル２周囲の枠体５に取り付け可能とし、ダイヤルノブ１４がタッチパネル２周囲に取り付けられ、回転部１５が回転操作された時に、一対の接触突起２２・２３のうち回転方向側の接触突起２２（あるいは接触突起２３）がタッチパネル２に接触することにより予め設定された機能を実行する。
この電子機器１は、タッチ操作に用いる構造として機械的な機構のダイヤルノブ１４を設けており、タッチパネル方式の電子機器１であっても、機械式のスイッチのような操作性と操作感を提供することができ、ブラインドタッチで入力操作することができる。また、この電子機器１は、タッチ操作に用いる構造についてユーザの嗜好に合った様々な形状やレイアウトとしたタッチパネル２を提供することができる。
また、電子機器１は、タッチパネル２周囲の外枠５に取り付け溝２６を設け、この取り付け溝２６にダイヤルノブ１４の取り付け軸２５を挿入することで、ダイヤルノブ１４がタッチパネル２周囲に取り付けられる。これにより、この電子機器１は、タッチ操作に用いる構造としてのダイヤルノブ１４を確実に取り付けることができる。また、この電子機器１は、ダイヤルノブ１４を自由に着脱可能とすることができる。
さらに、この電子機器１は、ダイヤルノブ１４が回転操作された時に実行される機能と、ダイヤルノブ１４が回転操作された時にダイヤルノブ１４に備えられた接触突部２２・２３が接触するタッチパネル２上の位置座標とを設定する登録機能を有している。これにより、この電子機器１は、タッチ操作に用いる構造としてのダイヤルノブ１４について、ユーザの嗜好に合うようにその形状、操作と機能とを設定することができる。
【実施例３】
【００２１】
図１０〜図１２は、この発明の実施例３を示すものである。実施例３の電子機器１のタッチパネル２は、前述実施例１と同様の構造を備えているので、同一符号を使用して説明する。図１０に示すように、電子機器１のタッチパネル２は、ディスプレイパネル３とタッチスクリーン４とから構成され、周囲を外枠５で囲まれている。タッチパネル２は、ディスプレイパネル３で画像を表示するとともにタッチスクリーン４でタッチ操作を検出する。
電子機器１は、タッチパネル２を構成するディスプレイパネル３の表示位置に対応するタッチスクリーン４の位置座標に応じて、予め実行する機能を設定して登録している。電子機器１は、タッチ操作されたタッチパネル２上の位置座標に応じて予め設定された機能を実行する。
【００２２】
前記電子機器１は、タッチパネル２のタッチ操作に用いる構造として、機械的な機構のスライドボタン２８を設けている。スライドボタン２８は、図１１・図１２に示すように、タッチパネル２に対して押し操作、放し操作されるとともにスライド操作される操作ノブ２９を備えている。
操作ノブ２９は、背面（タッチパネル２側）に接触突起３０を備えている。また、操作ノブ２９は、背面にタッチパネル２周囲の外枠５に取り付けるための取り付け板３１を備え、タッチパネル２の外枠５表面に当接される戻しバネ３２を備えている。スライドボタン２８は、操作ノブ２９の押し操作により操作ノブ２９の背面に備えられた接触突起３０が押し下げられ、操作ノブ２９のスライド操作により接触突起３０がタッチパネル２に接触した状態でスライドする構造を有している。
前記タッチパネル２の外枠５には、右側の縦枠部分の表面にスライドボタン２８を取り付けるための取り付け溝３３を形成している。スライドボタン２８は、タッチパネル２周囲の外枠５に設けた取り付け溝３３に取り付け板３１を挿入することで、スライド可能に取り付け可能としている。
【００２３】
電子機器１は、スライドボタン２８の操作を登録する機能を有している。電子機器１によるスライドボタン２８の登録は、前述実施例１の図４・図５において説明するように、タッチパネル２に登録画面１３を表示させて行うので、説明は省略する。なお、実施例３においては、図４・図５においてタッチ操作に用いる構造の押しボタン６の説明を、スライドボタン２８に置き換える。
これにより、電子機器１は、登録したスライドボタン２８が押し操作され、接触突起３０が登録されたタッチパネル２上の位置座標に接触されると、この位置座標に応じて予め設定された機能を実行する。
【００２４】
この電子機器１は、図１１に示すように、スライドボタン２８の操作ノブ２９に設けた取り付け板３１をタッチパネル２周囲の外枠５の取り付け溝３３に挿入することで、スライドボタン２８の操作ノブ２９と外枠５との間に戻しバネ３２を挟んだ状態でスライドボタン２８を取り付ける。
外枠５に取り付けられたスライドボタン２８は、図１２に示すように、操作ノブ２９を押し操作しつつスライド操作すると、押し操作により取り付け板３１が取り付け溝３３に入り込んで戻しバネ３２が撓み、接触突起３０がタッチパネル２のタッチスクリーン４に接触し、また、スライド操作により取り付け板３１が取り付け溝３３に沿ってスライドし、接触突起３０がタッチパネル２のタッチスクリーン４に接触した状態でスライドする。電子機器１は、スライドボタン２８の接触突起３０がタッチパネル２に接触した状態でスライドすることによって、タッチ操作されたタッチパネル２上の位置座標に応じて予め設定された機能を実行する。
スライドボタン２８は、操作ノブ２９を放し操作すると、撓んだ戻しバネ３２の反発力によって取り付け板３１が取り付け溝３３から出て操作ノブ２９が押し戻され、図１１に示すように、接触突起３０がタッチパネル２のタッチスクリーン４から離間する。
【００２５】
このように、電子機器１は、操作ノブ２９の背面に接触突起３０を備えるスライドボタン２８をタッチパネル２周囲の枠体５にスライド可能に取り付け可能とし、スライドボタン２８がタッチパネル２周囲に取り付けられ、操作ノブ２９が押し操作されつつスライド操作された時に、操作ノブ２９の背面に備えられた接触突起３０がタッチパネル２に接触した状態でスライドすることにより予め設定された機能を実行する。
この電子機器１は、タッチ操作に用いる構造として機械的な機構のスライドボタン２８を設けており、タッチパネル方式の電子機器１であっても、機械式のスイッチのような操作性と操作感を提供することができ、ブラインドタッチで入力操作することができる。また、この電子機器１は、タッチ操作に用いる構造についてユーザの嗜好に合った様々な形状やレイアウトとしたタッチパネル２を提供することができる。
また、電子機器１は、タッチパネル２周囲の外枠５に取り付け溝３３を設け、この取り付け溝３３にスライドボタン２８の取り付け板３１を挿入することで、スライドボタン２８がタッチパネル２周囲に取り付けられる。これにより、この電子機器１は、タッチ操作に用いる構造としてのスライドボタン２８を確実に取り付けることができる。また、この電子機器１は、スライドボタン２８を自由に着脱可能とすることができる。
さらに、この電子機器１は、スライドボタン２８が押し操作かつスライド操作された時に実行される機能と、スライドボタン２８が押し操作かつスライド操作された時にスライドボタン２８に備えられた接触突部３２が接触するタッチパネル２上の位置座標とを設定する登録機能を有している。これにより、この電子機器１は、タッチ操作に用いる構造としてのスライドボタン２８について、ユーザの嗜好に合うようにその形状、操作と機能とを設定することができる。
【実施例４】
【００２６】
図１３〜図１５は、この発明の実施例４を示すものである。実施例４の電子機器１のタッチパネル２は、前述実施例１と同様の構造を備えているので、同一符号を使用して説明する。図１３に示すように、電子機器１のタッチパネル２は、ディスプレイパネル３とタッチスクリーン４とから構成され、周囲を外枠５で囲まれている。タッチパネル２は、ディスプレイパネル３で画像を表示するとともにタッチスクリーン４でタッチ操作を検出する。
電子機器１は、タッチパネル２を構成するディスプレイパネル３の表示位置に対応するタッチスクリーン４の位置座標に応じて予め実行する機能を設定して登録し、タッチ操作されたタッチパネル２上の位置座標に応じて予め設定された機能を実行する。
【００２７】
電子機器１は、タッチパネル２のタッチ操作に用いる構造として、機械的な機構の押しボタン３４を設けている。押しボタン３４は、図１４・図１５に示すように、タッチパネル２に対して押し操作、放し操作される押下部３５を備え、押下部３５を回動可能に支持する台座部３６を備えている。
前記押下部３５は、長手方向一端側の背面（タッチパネル２側）にタッチスクリーン４に接触される接触突起３７を備え、長手方向中間の背面にタッチパネル２の外枠５表面に当接される戻しバネ３８を備え、長手方向他端側を台座部３６の長手方向一端に回動軸３９により回動可能に支持している。前記台座部３６は、長手方向他端側の側面（タッチパネル２側）にタッチパネル２周囲の外枠５に取り付けるための断面が四角形状の取り付け軸４０を備えている。押しボタン３４は、押下部３５の押し操作により接触突起３７が押し下げられる構造を有している。
前記タッチパネル２の外枠５には、右側の縦枠部分の外側面に押しボタン３４を取り付けるための複数の四角形状の取り付け穴４１を形成している。押しボタン３４は、タッチパネル２周囲の外枠５に設けた取り付け穴４１に取り付け軸４０を挿入することで、取り付け可能としている。
【００２８】
電子機器１は、押しボタン３４の操作を登録する機能を有している。電子機器１による押しボタン３４の登録は、前述実施例１の図４・図５において説明するように、タッチパネル２に登録画面１３を表示させて行うので、説明は省略する。なお、実施例４においては、図４・図５においてタッチ操作に用いる構造の押しボタン６の説明を、押しボタン３４に置き換える。
これにより、電子機器１は、登録した押しボタン３４が押し操作され、接触突起３７が登録されたタッチパネル２上の位置座標に接触されると、この位置座標に応じて予め設定された機能を実行する。
【００２９】
この電子機器１は、図１４に示すように、押しボタン３４の台座部３６に設けた取り付け軸４０をタッチパネル２周囲の外枠５の取り付け穴４１に挿入することで、押しボタン３４の押下部３５と外枠５との間に戻しバネ３８を挟んだ状態で押しボタン３４を取り付ける。
外枠５に取り付けられた押しボタン３４は、図１５に示すように、押下部３５の長手方向一端側を押し操作すると、押下部３５の長手方向一端側が長手方向他端側の回動軸３９を中心にタッチパネル２側に回転して戻しバネ３８が撓み、接触突起３７がタッチパネル２のタッチスクリーン４に接触する。電子機器１は、押しボタン３４の接触突起３７がタッチパネル２に接触することによって、タッチ操作されたタッチパネル２上の位置座標に応じて予め設定された機能を実行する。
押しボタン３４は、押下部３５を放し操作すると、撓んだ戻しバネ３８の反発力によって押下部３５の長手方向一端側が長手方向他端側の回転軸３９を中心にタッチパネル２から離れる側に回転し、図１４に示すように、接触突起３７がタッチパネル２のタッチスクリーン４から離間する。
【００３０】
このように、電子機器１は、タッチ操作に用いる構造として機械的な機構の押しボタン３４を設けており、タッチパネル方式の電子機器１であっても、機械式のスイッチのような操作性と操作感を提供することができ、ブラインドタッチで入力操作することができる。また、この電子機器１は、タッチ操作に用いる構造についてユーザの嗜好に合った様々な形状やレイアウトとしたタッチパネル２を提供することができる。
また、電子機器１は、タッチパネル２周囲の外枠５の外側面に取り付け穴４１を設け、この取り付け穴４１に押しボタン３４の取り付け軸４０を挿入することで、押しボタン３４がタッチパネル２周囲に取り付けられる。これにより、この電子機器１は、タッチ操作に用いる構造としての押しボタン３４を確実に取り付けることができる。また、この電子機器１は、押しボタン３４を自由に着脱可能とすることができる。
さらに、この電子機器１は、押しボタン３４が押し操作された時に実行される機能と、押しボタン３４が押し操作された時に押しボタン３４に備えられた接触突部３７が接触するタッチパネル２上の位置座標とを設定する登録機能を有している。これにより、この電子機器１は、タッチ操作に用いる構造としての押しボタン３４について、ユーザの嗜好に合うようにその形状、操作と機能とを設定することができる。
【００３１】
なお、上述実施例においては、押しボタン６等をタッチパネル２の外枠５に取り付け軸９により取り付けたが、粘着テープ等を設けて、タッチパネル２の外枠５に貼りつけることもできる。これにより、操作者が押しボタン６等をタッチパネル２に自由にレイアウトすることが可能となる。また、上述実施例においては、押しボタン６等をタッチパネル２の右側の縦枠部分に取り付けたが、他の枠部分にも取り付けることができる。
【産業上の利用可能性】
【００３２】
この発明は、タッチ操作に用いる構造として機械的な機構を採用することで、機械式のスイッチのような操作性と操作感を提供することができるものであり、車載用に限らず家庭用の電子機器にも適用できる。
【符号の説明】
【００３３】
１  電子機器
２  タッチパネル
３  ディスプレイパネル
４  タッチスクリーン
５  外枠
６  押しボタン
７  押下部
８  接触突起
９  取り付け軸
１０  戻しバネ
１１  取り付け溝
１２  挿入部
１３  登録画面
【図１】
2012018448.tif 000003
【図２】
2012018448.tif 000004
【図３】
2012018448.tif 000005
【図４】
2012018448.tif 000006
【図５】
2012018448.tif 000007
【図６】
2012018448.tif 000008
【図７】
2012018448.tif 000009
【図８】
2012018448.tif 000010
【図９】
2012018448.tif 000011
【図１０】
2012018448.tif 000012
【図１１】
2012018448.tif 000013
【図１２】
2012018448.tif 000014
【図１３】
2012018448.tif 000015
【図１４】
2012018448.tif 000016
【図１５】
2012018448.tif 000017